(57)【特許請求の範囲】
【請求項１】
無端状のレールを介してこのレール上を循環するエスカレータの移動手摺を支持する手摺用基台と、移動手摺を手摺用基台内部へ導入する手摺導入口に取り付けられて移動手摺を囲うハンドガードブーツと、このハンドガードブーツの移動手摺に沿った移動を検知する検知手段とを備え、移動手摺およびハンドガードブーツ間に異物が挟まるとハンドガードブーツの移動を検知手段で検知して、移動手摺の移動を停止するエスカレータのハンドガードブーツ安全装置において、
前記ハンドガードブーツは、
移動手摺をハンドガードブーツへ導入するブーツの入り口を狭める異物進入阻止壁と、
ハンドガードブーツ内に進入した移動手摺の両側方及び下方から回転接触して移動手摺を案内するローラと、これらローラを回転自在に支持する支持体と、から構成されるローラ組立体と、
ハンドガードブーツ内周面に固定され、移動手摺の進入方向に対向する支持体の縁を挟み、前記ローラ組立体をハンドガードブーツに取り外し可能に組み込む可撓性の固定片と、
を備えることを特徴とするハンドガードブーツ安全装置。
【発明の詳細な説明】
【０００１】
【産業上の利用分野】
本発明は、無端状のレールを介してこのレール上を循環する移動手摺を支持する手摺用基台と、移動手摺を手摺用基台内部へ導入する手摺導入口を備えるエスカレータに関し、特に、手摺導入口に取り付けられて移動手摺を囲うハンドガードブーツと、このハンドガードブーツの移動手摺に沿った移動を検知する検知手段とを備え、移動手摺およびハンドガードブーツ間に異物が挟まるとハンドガードブーツの移動を検知手段で検知して、移動手摺の移動を停止するエスカレータのハンドガードブーツ安全装置に関する。
【０００２】
【従来の技術】
一般に、エスカレータでは、図８および図９に示すように、フロアＦＬ上の手摺用基台１０１に設けられた手摺導入口１０２と、レール１０３上を移動してこの手摺導入口１０２を通過する移動手摺１０４との隙間に異物、特に乗員の手等が進入することを防止するためにハンドガードブーツ安全装置１０５が設けられる。このハンドガードブーツ安全装置１０５では、手摺導入口１０２と移動手摺１０４との間に異物が挟まると、移動手摺１０４の推進力がハンドガードブーツ１０６に伝達され、移動手摺１０４とともにハンドガードブーツ１０６が移動する。この移動Ｍは、ハンドガードブーツ１０６に連結された検知手段１０７で検知され、その結果、安全装置が作動してエスカレータの運転が停止される。
【０００３】
【発明が解決しようとする課題】
従来のハンドガードブーツ１０６は、どの部分でも移動手摺１０４と等間隔Ｃで対向する内周面１０６ａを備える。この構成では、等間隔Ｃを十分大きめに確保しなければ、移動手摺１０４の内部の摩耗、形状の変化、蛇行等が原因となって移動手摺１０４がハンドガードブーツ１０６の内周面１０６ａと接触してしまう。このような接触は異音発生の原因となる。一方、かかる接触を回避するために等間隔Ｃを大きくとると、移動手摺１０４と内周面１０６ａとの接触は回避されるが、その間隔Ｃから異物が進入しやすくなってしまう。
【０００４】
本発明は、かかる実情に鑑みてなされたもので、異物の進入をできる限り防止することができるハンドガードブーツ安全装置を提供することを目的とする。
【０００５】
【課題を解決するための手段】
上記目的を達成するために、本発明によれば、無端状のレールを介してこのレール上を循環するエスカレータの移動手摺を支持する手摺用基台と、移動手摺を手摺用基台内部へ導入する手摺導入口に取り付けられて移動手摺を囲うハンドガードブーツと、このハンドガードブーツの移動手摺に沿った移動を検知する検知手段とを備え、移動手摺およびハンドガードブーツ間に異物が挟まるとハンドガードブーツの移動を検知手段で検知して、移動手摺の移動を停止するエスカレータのハンドガードブーツ安全装置において、前記ハンドガードブーツは、移動手摺をハンドガードブーツへ導入するブーツの入り口を狭める異物進入阻止壁と、ハンドガードブーツ内に進入した移動手摺の両側方及び下方から回転接触して移動手摺を案内するローラと、これらローラを回転自在に支持する支持体と、から構成されるローラ組立体と、ハンドガードブーツ内周面に固定され、移動手摺の進入方向に対向する支持体の縁を挟み、前記ローラ組立体をハンドガードブーツに取り外し可能に組み込む可撓性の固定片と、を備えることを特徴とする。
【０００７】
【作用】
本発明の構成によれば、異物進入阻止壁によってハンドガードブーツの入り口が狭められているので、ハンドガードブーツ内への異物の進入が極力防止される。このとき、移動手摺の移動はローラによって案内されているので、内部の摩耗、形状の変化、蛇行等が原因となって移動手摺が異物進入阻止壁に衝突することは回避される。
【０００８】
また、本発明の構成によれば、ローラ組立体は取り外し可能にハンドガードブーツに組み込まれているので、装置の中では一番消耗の速いローラの交換が簡単であってメンテナンス性を向上することができる。
【０００９】
【実施例】
以下、添付図面を参照しつつ本発明の実施例を説明する。
【００１０】
図１は本発明の一実施例に係るハンドガードブーツ安全装置が適用されたエスカレータＥＳを示す。このエスカレータＥＳは、フロアＦＬに設置された手摺用基台１０を備える。この手摺用基台１０には無端状のレール１１が敷設され、レール１１上を移動手摺１２が所定の方向ＤＲに循環する。移動手摺１２は、手摺用基台１０に設けられた手摺導入口１３から手摺用基台１０の内部に導入される。
【００１１】
ハンドガードブーツ安全装置は、手摺導入口１３に取り付けられて移動手摺１２を囲うハンドガードブーツ１４を備える。このハンドガードブーツ１４は、移動手摺１２およびハンドガードブーツ１４間に異物が挟まると移動手摺１２の推進力をかりて移動手摺１２とともに前進する（図１における矢印Ｍ）。
【００１２】
ハンドガードブーツ１４には圧力スイッチ等の検知手段１５が連結される。この検知手段１５は、ハンドガードブーツ１４の移動を検知する。検知手段１５の検知信号は所定の安全装置（図示せず）に送信され、これによってエスカレータＥＳの作動を停止する。
【００１３】
図２に示すように、ハンドガードブーツ１４は、ローラ組立体１６を移動手摺１２との間に収容するように大きな間隔をおいて移動手摺１２に対向する筒形に形成される。しかも、移動手摺１２を導入する入り口１７は、異物進入阻止壁１８によって狭められている。したがって、ハンドガードブーツ１４の入り口１７だけが移動手摺１２に近接している（図４を併せて参照）。
【００１４】
ローラ組立体１６は、図３から明らかなように、ハンドガードブーツ１４の内周面に設けられた一対の固定片１９によって取り外し可能にハンドガードブーツ１４の内部に組み込まれる。この場合、可撓性の固定片１９を接着剤で内周面に固定することでローラ組立体１６の取り外しを可能としてもよいし、固定片１９をビスで内周面に固定することによってローラ組立体１６を取り外し可能にしてもよい。このローラ組立体１６は、図４に示すように、３方向から移動手摺１２を案内する。
【００１５】
図５〜図７を参照し、ローラ組立体１６は、例えば、移動手摺１２に回転接触して移動手摺１２を案内する３個のローラ２０と、これらのローラ２０を回転自在に支持する支持体２１とを備える。この支持体２１は、移動手摺１２の上面に対向する基部２１ａと、この基部２１ａの両側で立ち上がって移動手摺１２を両側から挟む一対の立ち上がり部２１ｂとを有する。基部２１ａと各立ち上がり部２１ｂとにローラ２０がそれぞれ固定される。
【００１６】
各ローラ２０は支持体２１に固定された軸回りに回転する。ローラ２０の軸は、支持体２１の一部を切り起こすか、支持体２１の先端を折り曲げて形成した支持部２１ｃに支持されている。したがって、支持体２１は１枚の金属板等から簡単に作り出すことができる。
【００１７】
次に本実施例の作用を説明する。まず、１枚の金属板からプレス加工等によって支持体２１を切り出す。このとき、支持体２１の先端部を折り曲げたり、一部を切り起こしてローラ２０の支持部２１ｃを形成する。続いてローラ２０を支持体２１に組み込んでローラ組立体１６を完成する。
【００１８】
完成したローラ組立体１６をハンドガードブーツ１４に固定した後、図１に示すように、このハンドガードブーツ１４をエスカレータＥＳの手摺用基台１０に取り付ける。この状態で、エスカレータＥＳが作動し、移動手摺１２が常時手摺導入口１３から手摺用基台１０の内部へ送り込まれているときに、移動手摺１２とハンドガードブーツ１４との間に異物が挟まったと仮定する。異物はハンドガードブーツ１４と移動手摺１２との接触力を助長し、ハンドガードブーツ１４が手摺用基台１０の内部側へと前進する（方向Ｍ）。この前進は検知手段１５で検知され、検知信号が安全装置（図示せず）に送信される。安全装置はエスカレータＥＳを停止し、これによって移動手摺１２も移動を停止する。
【００１９】
本発明によれば、異物進入阻止壁１８によってハンドガードブーツ１４の入り口１７が狭められているので、ハンドガードブーツ１４内への異物の進入が極力防止される。このとき、移動手摺１２の移動は３方向からローラ２０によって案内されているので、内部の摩耗、形状の変化、蛇行等が原因となって移動手摺１２が異物進入阻止壁１８に衝突することは回避される。その結果、このような接触を原因とした異音が発生することもない。また、ローラ組立体１６は取り外し可能にハンドガードブーツ１４に固定されているので、装置の中では一番消耗の速いローラ２０の交換が簡単であってメンテナンス性を向上することができる。さらに、ローラ２０を支持する支持体２１は１枚の金属板からでも成形することができるので、ローラ組立体１６の製造も容易である。
【００２０】
【発明の効果】
以上のように第１発明によれば、異物進入阻止壁によってハンドガードブーツの入り口が狭められているので、ハンドガードブーツ内への異物の進入が極力防止される。このとき、移動手摺の移動はローラによって案内されているので、内部の摩耗、形状の変化、蛇行等が原因となって移動手摺が異物進入阻止壁に衝突することは回避される。
【００２１】
また、第２発明によれば、ローラ組立体は取り外し可能にハンドガードブーツに組み込まれているので、装置の中では一番消耗の速いローラの交換が簡単であってメンテナンス性を向上することができる。
【図面の簡単な説明】
【図１】本発明に係るハンドガードブーツ安全装置が適用されたエスカレータの側面図である。
【図２】ハンドガードブーツの一部破断斜視図である。
【図３】ハンドガードブーツの平面図である。
【図４】ハンドガードブーツの正面図である。
【図５】ローラ組立体の正面図である。
【図６】図５の矢印６方向からみたローラ組立体の平面図である。
【図７】図５の矢印７方向からみたローラ組立体の側面図である。
【図８】従来の係るハンドガードブーツ安全装置が適用されたエスカレータの側面図である。
【図９】図８の９ー９線に沿った断面図である。
【符号の説明】
１０  手摺用基台、１１  レール、１２  移動手摺、１３  手摺導入口、１４ハンドガードブーツ、１５  検知手段、１６  ローラ組立体、１７  入り口、１８  異物進入阻止壁、２０  ローラ、２１  支持体。
【図１】
0003563813.tif 000002
【図２】
0003563813.tif 000003
【図３】
0003563813.tif 000004
【図４】
0003563813.tif 000005
【図５】
0003563813.tif 000006
【図６】
0003563813.tif 000007
【図７】
0003563813.tif 000008
【図８】
0003563813.tif 000009
【図９】
0003563813.tif 000010